(57)【要約】【課題】浴槽を浴槽設置部から移動させることなく、浴室ユニット内から床パンの下に配設されている配管のメンテナンスを行うことが可能な浴室ユニットの床パンの点検口を提供する。【解決手段】建物躯体の浴室スペースの床面に設置される浴室ユニットＵの床パン１である。床パン１は浴槽設置部１１と洗い場部１２とを備え、洗い場部１２の周縁近傍部に点検口２を形成すると共に、該点検口２に点検口蓋３を着脱自在に設けた。【選択図】図１
2011111778.tif 000002
【特許請求の範囲】
【請求項１】
建物躯体の浴室スペースの床面に設置される浴室ユニットの床パンであって、床パンは浴槽設置部と洗い場部とを備え、洗い場部の周縁近傍部に点検口を形成すると共に、該点検口に点検口蓋を着脱自在に設けたことを特徴とする浴室ユニットの床パン。
【請求項２】
点検口の長手方向を、洗い場部の周縁に沿う方向として成ることを特徴とする請求項１記載の浴室ユニットの床パン。
【発明の詳細な説明】
【技術分野】
【０００１】
本発明は、浴室ユニットの床パンに関するものである。
【背景技術】
【０００２】
従来より、図４に示すように、浴室スペースに床パン１を設置し、床パン１の周端縁から壁パネルを立設し、壁パネルの上端部に天井パネルを設置して形成される浴室ユニットＵが使用されている（例えば特許文献１参照）。床パン１は、浴槽設置部１１と洗い場部１２とを備えており、浴槽設置部１１に浴槽を設置し、また、浴槽及び浴槽設置部１１に接続される配管や洗い場部１２に接続される配管を床パン１の下に配設している。
【０００３】
また床パン１には、浴槽設置部１１に点検口２′が形成してあると共に該点検口２′に点検口蓋３′が着脱自在に設けてあり、前記点検口２′を介して浴室ユニットＵ内から上記配管のメンテナンスを行うようになっていた。
【先行技術文献】
【特許文献】
【０００４】
【特許文献１】特開２００３−３３２８９号公報
【発明の概要】
【発明が解決しようとする課題】
【０００５】
しかしながら、浴槽設置部１１に点検口２′が設けてあったため、浴槽を浴槽設置部１１から移動させなければ点検口２′を介してメンテナンスを行うことができなかった。
【０００６】
本発明は上記従来の問題点に鑑みて発明したものであって、その目的とするところは、浴槽を浴槽設置部から移動させることなく、浴室ユニット内から床パンの下に配設されている配管のメンテナンスを行うことが可能な床パンを提供することを課題とするものである。
【課題を解決するための手段】
【０００７】
上記課題を解決するために請求項１に係る発明は、建物躯体の浴室スペースの床面に設置される浴室ユニットＵの床パン１であって、床パン１は浴槽設置部１１と洗い場部１２とを備え、洗い場部１２の周縁近傍部に点検口２を形成すると共に、該点検口２に点検口蓋３を着脱自在に設けたことを特徴とする。
【０００８】
請求項２に係る発明は、請求項１に係る発明において、点検口２の長手方向を、洗い場部１２の周縁に沿う方向として成ることを特徴とする。
【発明の効果】
【０００９】
本発明においては、床パンの下に配設されている配管の点検・保守作業等のメンテナンスを行うにあたり、従来のように浴槽が載置されている浴槽設置部の点検口を介してではなく、洗い場部から点検口を介してメンテナンスを行うことが可能となり、浴槽を浴槽設置部から移動させることなく、浴室ユニット内から床パンの下に配設されている配管のメンテナンスを行うことが可能となる。
【００１０】
また、点検口の長手方向を洗い場部の周縁に沿う方向とすることで、配管の位置が洗い場部の辺の中央部からずれても対応可能となる。
【図面の簡単な説明】
【００１１】
【図１】本発明の一実施形態における一例の全体概略斜視図である。
【図２】同上の実施形態における床パンの点検口、点検口蓋、床蓋を設けた部分の断面図である。
【図３】同上の実施形態における他例の全体概略斜視図である。
【図４】従来例の全体概略斜視図である。
【発明を実施するための形態】
【００１２】
以下、本発明の一実施形態について図１及び図２に基いて説明する。
【００１３】
浴室ユニットＵは、建物躯体の浴室スペースの床面上に床パン１を設置し、床パン１の周端縁から上方に壁パネル（特に図示せず）を立設し、壁パネルの上端部に天井パネル（特に図示せず）を載設して形成してあり、浴室ユニットＵの内部が浴室となる。床パン１は、浴槽設置部１１と洗い場部１２とを備えており、浴槽設置部１１に浴槽（図示せず）を設置すると共に、浴槽の洗い場側の上端部のフランジ部から、浴槽設置部１１と洗い場部１２との境界部分にかけてエプロン（図示せず）を着脱自在に設置している。
【００１４】
床パン１は、浴槽設置部１１の一端縁と洗い場部１２の一端縁とを連結して一体化してあると共に、床パン１の周囲に全周に亘って立ち上がり縁１３が設けてあり、立ち上がり縁１３に壁パネルの下端を載置して浴室壁が形成される。なお床パン１は、浴槽が設置される浴槽側床パンと、洗い場部１２となる洗い場側床パンとを別体に形成してあってもよい。また図１に示す例では、床パン１の浴槽設置部１１に従来と同様の点検口２′が形成してあると共に該点検口２′に点検口蓋３′が着脱自在に設けてある。
【００１５】
また床パン１の下には、浴槽及び浴槽設置部１１に接続される配管１５や洗い場部１２に接続される配管１５が配設されるもので、図１に示す例では、洗い場部１２に形成される排水口１４に配管１５が接続されている。
【００１６】
そして本発明においては、床パン１の洗い場部１２に点検口２が形成される。点検口２は、洗い場部１２の周縁近傍部（周縁から中心側に約４０ｃｍまで入った領域内）の一部に形成される。図１に示す例では、略矩形状をした洗い場部１２の浴槽設置部１１と隣接する辺と対向する辺において、洗い場部１２の周縁に沿う方向を長手方向とする略矩形状に形成してあり、長手方向の長さは３０〜６０ｃｍ（好ましくは４０ｃｍ）、幅は２０〜４０ｃｍ（好ましくは３０ｃｍ）であるが、これに限定されない。また図３に示す例では、略矩形状をした洗い場部１２の浴槽設置部１１と隣接する辺を除く三辺において、それぞれ周縁に沿う方向を長手方向とする略矩形状に形成してあり、長さや幅は上述した通りである。
【００１７】
点検口２には点検口蓋３が着脱自在に設けられる。本実施形態では、点検口蓋３に加えて床蓋４を設けて二重構造としてある。すなわち、図２に示すように、洗い場部１２の点検口２の周縁は、床面となる床パン１上面よりも低い平面視略矩形状をした段部２１となっており、段部２１とその側壁２２とで囲まれる凹所２３に点検口蓋３及び床蓋４が収容される。
【００１８】
点検口蓋３は、平面視において点検口２よりも大きく段部２１よりも小さい略矩形板状をしており、周端縁が段部２１に載置されて点検口２を閉塞する。本実施形態では、段部２１には上方に露出するように複数のナット５１がインサート成形により埋設してあると共に、点検口蓋３の前記各ナット５１に対応する部分にそれぞれ固着具挿通孔３０が貫通形成してある。この点検口蓋３は、各固着具挿通孔３０がそれぞれナット５１の内部の孔と連通するように段部２１に載置され、ネジからなる固着具５２を前記点検口蓋３の固着具挿通孔３０に上方より挿通してナット５１に螺着することで、点検口２を閉塞した状態で固定される。この時、パッキン６を点検口蓋３と段部２１との間に介在させてもよい。
【００１９】
本実施形態では、点検口蓋３の周端縁より下方に垂下する平面視矩形環状をした外垂下片３１と、外垂下片３１よりも内側の点検口蓋３下面から下方に垂下する平面視矩形環状をした中垂下片３２と、中垂下片３２よりも更に内側の点検口蓋３下面から下方に垂下する平面視矩形環状をした内垂下片３３と、が形成してある。そして、外垂下片３１と中垂下片３２との間に形成される平面視矩形環状をした凹溝に平面視において該凹溝と略同形状をした外側パッキン６１が嵌め込まれると共に、内垂下片３３の内側に平面視において該内垂下片３３より若干小さい内側パッキン６２が嵌め込まれる。そして点検口蓋３は、段部２１に固定された時に外側パッキン６１及び内側パッキン６２が圧縮されて点検口蓋３と段部２１とに圧接すると共に外垂下片３１、中垂下片３２、内垂下片３３の下端がそれぞれ段部２１上に当接し、シールがなされる。
【００２０】
床蓋４は、平面視において前記点検口２の周縁の段部２１と略同形状かそれよりも若干小さく形成される床部４１と、床部４１の周縁から下方に垂下される脚部４２とで構成され、凹所２３に床蓋４を収容して脚部４２を段部２１に載置した時、床部４１の上面が床パン１の上面と略面一となるように形成される。本実施形態では、床蓋４と凹所２３の側壁２２との間の隙間をパッキン７１とシーリング７２とで閉塞している。パッキン７１の上にシーリング７２が位置しており、シーリング７２の上面が床面と略面一となるようにしてある。なお、このシーリング７２は通常のパッキンでもよいし、コーキング材をうってもよい。
【００２１】
上述したように、本発明においては洗い場部１２の周縁近傍部に点検口２を形成することで、床パン１の下に配設されている配管１５の点検・保守作業等のメンテナンスを行うにあたり、従来のように浴槽が載置されている浴槽設置部１１の点検口２′を介してではなく、洗い場部１２から点検口２を介してメンテナンスを行うことが可能となり、浴槽を浴槽設置部１１から移動させることなく、浴室ユニットＵ内から床パンの下に配設されている配管のメンテナンスを行うことが可能となる。
【００２２】
また、図３に示す例のように、洗い場部１２の三辺の周縁近傍部にそれぞれ点検口２を形成することで、配管１５が図３の破線のように洗い場部１２の任意の辺に向けて屈曲する場合にも対応可能となる。
【００２３】
また、点検口２の長手方向を洗い場部１２の周縁に沿う方向とすることで、配管１５の位置が洗い場部１２の辺の中央部からずれても対応可能となる。
【符号の説明】
【００２４】
Ｕ    浴室ユニット
１    床パン
１１  浴槽設置部
１２  洗い場部
１３  立ち上がり縁
１４  排水口
１５  配管
２    点検口
２１  段部
２２  側壁
２３  凹所
３    点検口蓋
３０  固着具挿通孔
４    床蓋
４１  床部
４２  脚部
５１  ナット
５２  ネジからなる固着具
６１  外側パッキン
６２  内側パッキン
７１  パッキン
７２  シーリング
【図１】
2011111778.tif 000003
【図２】
2011111778.tif 000004
【図３】
2011111778.tif 000005
【図４】
2011111778.tif 000006